(57)【要約】      （修正有）【課題】光学系調整値セットが記憶されている場合に、ユーザーに対して調整値セットの選択を促すことを可能にしたプロジェクターを提供する。【解決手段】ズーム、フォーカス、レンズシフトの何れかを駆動する光学系駆動手段を少なくとも備え、光学系駆動手段の駆動位置を取得する駆動位置取得手段を備え、光学系の所定の状態における、各々の光学系駆動手段の駆動位置を表す調整値セットを少なくとも一つ記憶する記憶手段１０７を備え、所定の光学系駆動手段を使用して光学系の駆動が行われている間に、駆動位置取得手段で取得した駆動位置と所定の調整値を定期的に比較する比較手段１０６を備え、駆動位置と前記調整値が所定の条件を満たす場合に、当該調整値セットの選択を可能とするオンスクリーン手段１０４を備え、当該調整値セットの選択操作が行われた場合、光学系駆動手段を用いて光学系の駆動を行う光学系制御手段を備えることを特徴とする。【選択図】図１
2017203919.tif 000002
【特許請求の範囲】
【請求項１】
ズーム、フォーカス、レンズシフトの何れかを駆動する光学系駆動手段を少なくとも一つ備え、
光学系駆動手段の駆動位置を取得する駆動位置取得手段を各々の光学系駆動手段に対応して備え、
光学系の所定の状態における、前記各々の光学系駆動手段の駆動位置を表す調整値セットを少なくとも一つ記憶する記憶手段を備え、
前記所定の光学系駆動手段を使用して光学系の駆動が行われている間に、少なくとも駆動中の光学系駆動手段に対応する、前記駆動位置取得手段で取得した駆動位置と前記記憶手段で記憶された所定の調整値セットにおける調整値を定期的に比較する比較手段を備え、
前記比較手段において、前記駆動位置と前記調整値が所定の条件を満たす場合に、当該調整値セットの選択を可能とするオンスクリーン画面を表示するオンスクリーン手段を備え、
前記オンスクリーン画面に対し、当該調整値セットの選択操作が行われた場合、当該調整値セットに基づいて、前記光学系駆動手段を用いて光学系の駆動を行う光学系制御手段を備えることを特徴とするプロジェクター。
【請求項２】
ズーム、フォーカス、レンズシフトの何れかを駆動する光学系駆動手段を少なくとも一つ備え、
光学系駆動手段の駆動位置を取得する駆動位置取得手段を各々の光学系駆動手段に対応して備え、
光学系の所定の状態における、前記各々の光学系駆動手段の駆動位置を表す調整値セットを少なくとも一つ記憶する記憶手段を備え、
前記光学系駆動手段で光学系の駆動を行った後、所定時間経過後に、少なくとも当該駆動された光学系駆動手段に対応する、前記駆動位置取得手段で取得した駆動位置と前記記憶手段で記憶された所定の調整値セットにおける調整値を比較する比較手段を備え、
前記比較手段において、前記駆動位置と前記調整値が所定の条件を満たす場合に、当該調整値セットの選択を可能とするオンスクリーン画面を表示するオンスクリーン手段を備え、
前記オンスクリーン画面に対し、当該調整値セットの選択操作が行われた場合、当該調整値セットに基づいて、前記光学系駆動手段を用いて光学系の駆動を行う光学系制御手段を備えることを特徴とするプロジェクター。
【請求項３】
ズーム、フォーカス、レンズシフトのうち、少なくともフォーカスを駆動する光学系駆動手段を少なくとも一つ備え、
光学系駆動手段の駆動位置を取得する駆動位置取得手段を各々の光学系駆動手段に対応して備え、
光学系の所定の状態における、前記各々の光学系駆動手段の駆動位置を表す調整値セットを少なくとも一つ記憶する記憶手段を備え、
プロジェクターと投写画面との距離を測定する測距手段を備え、
前記光学系駆動手段で光学系の駆動を行った後、所定時間経過後に、前記測距手段を用いて取得した距離情報と前記記憶手段で記憶された所定の調整値セットにおけるフォーカス調整値を比較する比較手段を備え、
前記比較手段において、前記距離情報と前記フォーカス調整値が所定の条件を満たす場合に、当該調整値セットの選択を可能とするオンスクリーン画面を表示するオンスクリーン手段を備え、
前記オンスクリーン画面に対し、当該調整値セットの選択操作が行われた場合、当該調整値セットに基づいて、前記光学系駆動手段を用いて光学系の駆動を行う光学系制御手段を備えることを特徴とするプロジェクター。
【請求項４】
ズーム、フォーカス、レンズシフトのうち、少なくともフォーカスを駆動する光学系駆動手段を少なくとも一つ備え、
光学系駆動手段の駆動位置を取得する駆動位置取得手段を各々の光学系駆動手段に対応して備え、
光学系の所定の状態における、前記各々の光学系駆動手段の駆動位置を表す調整値セットを少なくとも一つ記憶する記憶手段を備え、
プロジェクターと投写画面との距離を測定する測距手段を備え、
前記測距手段により取得したプロジェクターと投写画面との距離をターゲットとして、前記フォーカスを駆動する光学系駆動手段を用いてフォーカスの調整を行うオートフォーカス手段を備え、
オートフォーカスを実行後に、前記ターゲットとした距離と前記記憶手段で記憶された所定の調整値セットにおけるフォーカス調整値を比較する比較手段を備え、
前記比較手段において、前記ターゲットとした距離と前記フォーカス調整値が所定の条件を満たす場合に、当該調整値セットの選択を可能とするオンスクリーン画面を表示するオンスクリーン手段を備え、
前記オンスクリーン画面に対し、当該調整値セットの選択操作が行われた場合、当該調整値セットに基づいて、前記光学系駆動手段を用いて光学系の駆動を行う光学系制御手段を備えることを特徴とするプロジェクター。
【発明の詳細な説明】
【技術分野】
【０００１】
本発明は、プロジェクターに関し、特にズーム、フォーカス、レンズシフトの光学特性のうち、少なくとも一つを電動モーターにより制御するプロジェクターに関する。
【背景技術】
【０００２】
従来、スクリーンへの映像投写に関わる複数の調整値セットを記憶する記憶手段と、調整値セットの中から所望のものを選択する選択手段を備え、選択された調整値セットに応じて光学系または画質の調整を行うプロジェクターが知られている。
【０００３】
特許文献１には、投写条件A、Bのそれぞれに対応する調整値セットの何れかを、リモコンの投写条件選択キーにより選択することで、調整値セットに基づいた光学、画質調整を行うプロジェクター制御装置が開示されている。
【先行技術文献】
【特許文献】
【０００４】
【特許文献１】特開２００３−２９５３２１号公報
【発明の概要】
【発明が解決しようとする課題】
【０００５】
しかしながら、上述の特許文献１に開示された従来技術では、プロジェクターを使用する設置環境ごとにリモコンに選択ボタンを設けなければならず、用意できる選択ボタンの数に限りがあった。また、前述の特許文献１に開示された従来技術を用いると、調整値セットが予め記憶されているにも関わらず、ユーザーがそれに気づかずにズーム、フォーカス、レンズシフトの調整を個別に行い、調整完了までに時間がかかるという問題があった。
【０００６】
そこで、本発明の目的は、光学系調整値セットが記憶されている場合に、ユーザーに対して調整値セットの選択を促すことを可能にしたプロジェクターを提供することにある。
【課題を解決するための手段】
【０００７】
上記の目的を達成するために、本発明に係るプロジェクターは、
ズーム、フォーカス、レンズシフトの何れかを駆動する光学系駆動手段を少なくとも一つ備え、
光学系駆動手段の駆動位置を取得する駆動位置取得手段を各々の光学系駆動手段に対応して備え、
光学系の所定の状態における、前記各々の光学系駆動手段の駆動位置を表す調整値セットを少なくとも一つ記憶する記憶手段を備え、
前記所定の光学系駆動手段を使用して光学系の駆動が行われている間に、少なくとも駆動中の光学系駆動手段に対応する、前記駆動位置取得手段で取得した駆動位置と前記記憶手段で記憶された所定の調整値セットにおける調整値を定期的に比較する比較手段を備え、
前記比較手段において、前記駆動位置と前記調整値が所定の条件を満たす場合に、当該調整値セットの選択を可能とするオンスクリーン画面を表示するオンスクリーン手段を備え、
前記オンスクリーン画面に対し、当該調整値セットの選択操作が行われた場合、当該調整値セットに基づいて、前記光学系駆動手段を用いて光学系の駆動を行う光学系制御手段を備えることを特徴とする。
【発明の効果】
【０００８】
本発明によれば、光学系調整値セットが記憶されている場合に、ユーザーに対して調整値セットの選択を促すことを可能にしたプロジェクターを提供することができる。
【図面の簡単な説明】
【０００９】
【図１】プロジェクターの内部構成を示すブロック図
【図２】メモリに格納される、ズーム、フォーカス、レンズシフト位置の一例
【図３】フォーカス駆動が行われているときのプロジェクターの挙動の一例を表すフローチャート
【図４】登録メモリ選択画面の一例
【図５】登録メモリ選択画面の一例
【図６】フォーカス駆動停止後所定時間経過後のプロジェクターの挙動の一例を表すフローチャート
【図７】プロジェクターの内部構成を示すブロック図
【図８】フォーカス駆動停止後所定時間経過後のプロジェクターの挙動の一例を表すフローチャート
【図９】自動フォーカス調整実施時におけるプロジェクターの挙動の一例を表すフローチャート
【図１０】登録メモリ選択画面の一例
【発明を実施するための形態】
【００１０】
以下に、本発明の好ましい実施の形態を、添付の図面に基づいて詳細に説明する。図１は本発明の実施形態にかかわるプロジェクターの構成の一例である。
【００１１】
［実施例１］
以下、図１、図２、図３、図４、図５を参照して、本発明の第1の実施例による、プロジェクターの構成と挙動について説明する。
【００１２】
図１は本発明の第一の実施例にかかるプロジェクターの内部構成を示すブロック図である。
信号入力部101は、プロジェクター外部または内部の映像・画像信号の入力を受ける。信号処理部102は、信号入力部から入力された映像・画像信号をプロジェクター内部で処理可能な映像信号フォーマットに変換する。画像処理部103は予めプロジェクターで設定されている画像処理パラメータに基づいて、映像信号の明るさ、コントラスト、シャープネス等の画質や、キーストーン補正等の画角の補正を行う。
【００１３】
オンスクリーン手段としてのOSD（On Screen Display）制御部104は、CPU109での処理結果に基づいて、メニュー画面等のオンスクリーン画像を、映像信号に重畳する。このように処理された映像信号に基づいて、液晶パネル制御部105は液晶パネル120に画像を形成する。光源119から射出された光信号は液晶パネル120に形成された画像によって変調され、投射レンズ121を介してプロジェクター外部へ射出され、スクリーン上に投写画像を形成する。プロジェクターは操作部108を備えており、ユーザーからの操作を受け付ける。操作部の具体例としては、リモコンやプロジェクター本体に備えられたキーパッドなどがある。
【００１４】
ここで、投射レンズ121は、レンズシフト、フォーカス、ズームの調整が可能に構成されており、それぞれの制御を行うために、光学系駆動手段としてのモーターおよび駆動位置取得手段としてのエンコーダーをそれぞれ備えている（レンズシフト駆動モーター118、レンズシフト位置エンコーダー117、フォーカス駆動モーター116、フォーカス位置エンコーダー115、ズーム駆動モーター114、ズーム位置エンコーダー113）。また、モーターの制御およびエンコーダーからの値取得を制御する、制御部をそれぞれ備えている（レンズシフト制御部112、フォーカス制御部111、ズーム制御部110）。
【００１５】
記憶手段としてのメモリ107には、所定のレンズ位置におけるズーム、フォーカス、レンズシフト位置のエンコード値のセットが少なくとも一つ格納される。CPU109は比較手段としての比較部106に対し、レンズシフト制御部112、フォーカス制御部111、ズーム制御部110から取得したエンコード値と、メモリ107に格納されている対応するエンコード値を比較するよう指示する。比較部106において、エンコーダーから取得したエンコード値と、メモリ107に格納されたエンコード値が所定の差に収まる場合、CPU109はOSD制御部104を用いて、当該メモリを選択するオンスクリーン画面を表示する。
【００１６】
ここで、図２を用いてメモリ107に格納されるエンコード値の一例を示しておく。レンジの値はエンコーダー(117, 115, 113)から取得されるエンコード値の下限〜上限を示している。たとえばフォーカスに関しては、ニア側の端が0、ファー側の端が65535と定めておく。メモリ1〜3に格納されているズーム、フォーカス、レンズシフトの各値はある時点のレンズ位置において、ユーザーによるメニュー操作等によって保存操作が実行された場合に、各エンコーダーから取得したエンコード値である。
【００１７】
光学系制御手段としての各レンズ制御部は、CPU109からの指示により、各メモリに登録されたレンジ情報およびズーム、フォーカス、レンズシフトのエンコード値に基づいて、レンズ位置を復帰させる。レンジ情報は装着されている投射レンズにおいては基本的に固定であるため、メモリ107に記憶させる構成ではなく、レンズシフト制御部112、フォーカス制御部111、ズーム制御部110がそれぞれ保持する構成としても良い。
【００１８】
次に図３を用いて、フォーカス駆動が行われているときの本発明の実施例にかかるプロジェクターの挙動について説明する。
【００１９】
フォーカス駆動が行われている場合、CPU109はフォーカス制御部111を介して、フォーカス位置エンコーダー115からフォーカス駆動位置を取得する（S301）。S302において、CPU109は全登録メモリに対して、取得したフォーカス駆動位置（エンコード値）との比較を行ったか否かを判断する。比較が未完了の場合、S303にてCPU109はS301で取得したフォーカス駆動位置（エンコード値）と、比較対象の登録メモリにおけるフォーカス調整値（エンコード値）を比較する。S304において、CPU109は、比較部106を用いて、両者の差分が所定値Nf以下か否かを判断する。ここでいう所定値は予めプロジェクターで定められ、たとえば差分が655以下（レンジの1/100以下）とする。
【００２０】
差分が所定値以下の場合、CPU109は、OSD制御部104に対し、比較対象としたメモリを選択可能に構成されたオンスクリーン画像を表示するように指示を出す（S305）。差分が所定値を超えた場合にはS305 はスキップされる。
【００２１】
次に、比較対象の登録メモリを別の登録メモリとし（S306）、再度S302からの一連の処理を実行する。全登録メモリと比較が完了した時点で、現在のフォーカスエンコード値の近傍がフォーカス調整値となっている登録メモリを選択可能なオンスクリーン画像が表示されていることになる。
【００２２】
例えば、図４に示すようなオンスクリーン画像が表示されており、フォーカス調整ダイアログ401に重畳して、メモリ選択画面402が表示されている。また、複数の登録メモリにおけるフォーカス調整値が、現在のフォーカスエンコード値の近傍にある場合は、図5に示すように、登録メモリを選択可能なオンスクリーン画像が複数（402、403）表示される。
【００２３】
ここで、フォーカス調整操作を止め、たとえばリモコンの方向ボタン・OKボタンを押すなどして、メモリ選択画面402の選択操作が行われた場合、CPU109はメモリ2の登録内容に従って、フォーカス制御部、ズーム制御部、レンズシフト制御部のそれぞれに対し、402で選択されたメモリ内容に基づいてレンズ位置を復帰するように指示を出す。  S307において、CPU109はフォーカス駆動が終了しているか否かを判断し、終了していない場合には、S301からの一連の処理を繰り返す。
【００２４】
本実施例はフォーカス駆動についての例として記載した。ズーム、レンズシフト駆動に関しても、フォーカス駆動と同様の構成により実施することが可能である。
【００２５】
すなわち、ズーム駆動時は、現在のズームエンコード値と、登録メモリにおけるズーム調整値を、レンズシフト駆動時は、現在のレンズシフトエンコード値と、登録メモリにおけるレンズシフト調整値を比較することによって、フォーカス駆動時と同等の挙動が実現できる。
【００２６】
［実施例２］
以下、図６を参照して、本発明の第２の実施例による、フォーカス駆動停止後所定時間経過後のプロジェクターの挙動について説明する。
S601にて、CPU109はフォーカス制御部111に対しフォーカス駆動停止要求を行った時点から所定時間経過が経過しているか否かを判断する。所定時間以上が経過している場合には、S602にて、CPU109はフォーカス制御部111を介してフォーカス位置エンコーダー115からフォーカス駆動位置を取得する。以降、S302からS306の一連の処理を実行する。
【００２７】
以上の処理により、全登録メモリと比較が完了した時点で、現在のフォーカスエンコード値の近傍がフォーカス調整値となっている登録メモリを選択可能なオンスクリーン画像が表示されていることになる。
【００２８】
本実施例はフォーカス駆動についての例として記載した。ズーム、レンズシフト駆動に関しても、フォーカス駆動と同様の構成により実施することが可能である。すなわち、ズーム駆動時は、現在のズームエンコード値と、登録メモリにおけるズーム調整値を、レンズシフト駆動時は、現在のレンズシフトエンコード値と、登録メモリにおけるレンズシフト調整値を比較することによって、フォーカス駆動時と同等の挙動が実現できる。
【００２９】
［実施例３］
以下、図７、図８を参照して、本発明の第3の実施例による、プロジェクターの構成と挙動について説明する。図7は本発明の第三の実施例にかかるプロジェクターの内部構成を示すブロック図である。
【００３０】
測距手段としての測距センサー122はプロジェクター本体から、画像投写面までの距離を測定する。測定した距離情報は、変換部123にて、比較部124で比較可能な形式に変換される。比較部124で比較可能な形式は、登録メモリに格納されるフォーカス調整値の形式と同様なことが好ましく、例えば、フォーカス位置エンコーダーのエンコード値に対応する値に変換する。以下では、この値を距離情報変換値と呼ぶ。
【００３１】
CPU109は比較部124に対し、距離情報変換値と、メモリ107に格納されている対応するエンコード値を比較するよう指示する。比較部124において、距離情報変換値と、メモリ107に格納されたエンコード値が所定の差に収まる場合、CPU109はOSD制御部104を用いて、当該メモリを選択するオンスクリーン画面を表示する。その他の図７における機能ブロックは、図１において、同様の番号が振られている機能ブロックと同等の機能を持つものとする。
【００３２】
以下、図８を参照して、本発明の第３の実施例による、フォーカス駆動停止後所定時間経過後のプロジェクターの挙動について説明する。
【００３３】
S801にて、CPU109はフォーカス制御部111に対しフォーカス駆動停止要求を行った時点から所定時間経過が経過しているか否かを判断する。所定時間以上が経過している場合には、S802にて、CPU109は測距センサー122を使用してプロジェクターと投写面の距離を測定する。測定した距離データは、変換部123において、比較部124で距離情報変換値に変換される(S803)。S302, S304, S305, S306は既に説明済みの同番号の処理と同等である。
【００３４】
S302にて、全登録メモリのフォーカス調整値（エンコード値）と距離情報変換値との比較が未完了の場合、S804にてCPU109は距離情報変換値と、比較対象の登録メモリにおけるフォーカス調整値（エンコード値）を比較する。その後、S302で、全登録メモリのフォーカス調整値（エンコード値）と距離情報変換値との比較が完了するまで、S302からS306の一連の処理を繰り返す。
【００３５】
以上の処理により、全登録メモリと比較が完了した時点で、フォーカス駆動停止後のフォーカスエンコード値の近傍がフォーカス調整値となっている登録メモリを選択可能なオンスクリーン画像が表示されていることになる。これにより、登録メモリに、光学調整値が保存されているのに気付かずにフォーカス調整を行ったユーザーに対し、登録メモリの選択を促すことができる。
【００３６】
［実施例４］
以下、図９、図１０を参照して、本発明の第4の実施例による、自動フォーカス調整実施時におけるプロジェクターの挙動について説明する。
【００３７】
S901にて、CPU109は測距センサー122を使用してプロジェクターと投写面の距離を測定し、ターゲット距離とする。測定した距離データに基づき、CPU109は、フォーカス制御部111を介して、フォーカス駆動モーター116を駆動させ、投写面が被写界深度内に収まるように調整する(S902)。これにより、投写面上にピントの合った投写画像が得られる。S901によって得たターゲット距離は、変換部123において、比較部124で距離情報変換値に変換される(S903)。S302, S804, S304, S306は既に説明済みの同番号の処理と同等である。
【００３８】
S304において差分が所定値以下の場合、CPU109は、比較対象としたメモリを選択候補として一時的にメモリ上に保持する(S904)。差分が所定値を超えた場合にはS904 はスキップされる。全登録メモリと比較が完了した時点で、CPU109はメモリ上に保持された選択候補を選択可能に構成したオンスクリーン画像の表示をOSD制御部104に指示する。
【００３９】
以上の処理により、全登録メモリと比較が完了した時点で、ターゲット距離に相当するフォーカスエンコード値の近傍がフォーカス調整値となっている登録メモリを選択可能なオンスクリーン画像が表示されていることになる。
【００４０】
ここで表示されるオンスクリーン画像の例を図10に示す。図10におけるダイアログにおいて、例えばメモリ2を選択すると、CPU109はメモリ2に登録されているフォーカス、ズーム、レンズシフト調整値に基づいて、フォーカス制御部、ズーム制御部、レンズシフト制御部を介して投写レンズ121の調整を行う。
【００４１】
以上、本発明の好ましい実施形態について説明したが、本発明はこれらの実施形態に限定されず、その要旨の範囲内で種々の変形及び変更が可能である。
【符号の説明】
【００４２】
101  信号入力部、102  信号処理部、103  画像処理部、104  OSD制御部、
105  液晶パネル制御部、106  比較部、107  メモリ、108  操作部、109  CPU、
110  ズーム制御部、111  フォーカス制御部、112  レンズシフト制御部、
113  ズーム位置エンコーダー、114  ズーム駆動モーター、
115  フォーカス位置エンコーダー、116  ォーカス駆動モーター、
117  レンズシフト位置エンコーダー、118  レンズシフト駆動モーター、119  光源、
120  液晶パネル、121  投写レンズ
【図１】
2017203919.tif 000003
【図２】
2017203919.tif 000004
【図３】
2017203919.tif 000005
【図４】
2017203919.tif 000006
【図５】
2017203919.tif 000007
【図６】
2017203919.tif 000008
【図７】
2017203919.tif 000009
【図８】
2017203919.tif 000010
【図９】
2017203919.tif 000011
【図１０】
2017203919.tif 000012